(57)【特許請求の範囲】
【請求項１】
端末間（Ｄ２Ｄ）送信モード１のための第１のパラメータのセットと端末間送信モード２のための第２のパラメータのセットのいずれかを用いて、端末間通信のための送信電力を決定し、前記第１のパラメータのセットと前記第２のパラメータのセットとは、基地局によって別々に設定されている、制御回路と、
前記決定された送信電力でデータ信号を送信する送信部と、
を具備し、
前記制御回路は、
前記基地局から受信した端末−基地局間通信のグラントに含まれるＴＰＣ（Transmit Power Control）コマンドを累積した調整状態を用いて前記端末−基地局間通信のための送信電力を決定し、
前記端末−基地局間通信のための前記調整状態と、前記基地局から受信したＤ２Ｄグラントに含まれる、累積することなく用いられるＴＰＣコマンドと、を用いて、前記端末間通信のための送信電力を決定する、
通信装置。
【請求項２】
前記端末間送信モード１は、基地局のスケジューリングのもとで端末間通信がネットワークカバレッジ内で行われる送信モードであり、前記端末間送信モード２は、前記通信装置自身のスケジューリングのもとで端末間通信がネットワークカバレッジ内外で行われる別の送信モードである、
請求項１に記載の通信装置。
【請求項３】
前記端末間送信モード１はRRC_CONNECTED端末のためのものであり、前記端末間送信モード２は少なくともRRC_IDLE端末のためのものである、
請求項１または２に記載の通信装置。
【請求項４】
前記第１のパラメータのセット及び前記第２のパラメータのセットは、無線リソース制御（ＲＲＣ）シグナリングによって、前記通信装置に提供される、
請求項１から３のいずれか一項に記載の通信装置。
【請求項５】
前記第１のパラメータのセットは、前記端末間送信モード１のための第１のＰ０と第１のαとを含み、前記第２のパラメータのセットは、前記端末間送信モード２のための第２のＰ０と第２のαとを含み、前記第１のＰ０及び前記第２のＰ０は、送信電力に関するパラメータであり、前記第１のα及び前記第２のαは、パスロスに関する係数である、
請求項１から４のいずれか一項に記載の通信装置。
【請求項６】
前記第１のパラメータのセットは、第１のグループの端末のために設定され、前記第２のパラメータのセットは、前記第１のグループの端末とは異なる第２のグループの端末のために設定されている、
請求項１から５のいずれか一項に記載の通信装置。
【請求項７】
前記制御回路は、サービングセルにおける下りリンクのパスロス推定値であるパスロス（ＰＬ）値をさらに用いることにより、前記端末間通信のための送信電力を決定する、
請求項１から６のいずれか一項に記載の通信装置。
【請求項８】
前記Ｄ２Ｄグラント中のＴＰＣコマンドは、過去に通知されたＴＰＣコマンドが累積された値とは異なる電力制御情報である、
請求項１から７のいずれか一項に記載の通信装置。
【請求項９】
前記第１のパラメータのセットは、前記第２のパラメータのセットとは異なる、
請求項１から８のいずれか一項に記載の通信装置。
【請求項１０】
通信装置が、
端末間（Ｄ２Ｄ）送信モード１のための第１のパラメータのセットと端末間送信モード２のための第２のパラメータのセットのいずれかを用いて、端末間通信のための送信電力を決定し、前記第１のパラメータのセットと前記第２のパラメータのセットとは、基地局によって別々に設定されており、
前記基地局から受信した端末−基地局間通信のグラントに含まれるＴＰＣ（Transmit Power Control）コマンドを累積した調整状態を用いて前記端末−基地局間通信のための送信電力を決定し、
前記端末−基地局間通信のための前記調整状態と、前記基地局から受信したＤ２Ｄグラントに含まれる、累積することなく用いられるＴＰＣコマンドと、用いて、前記端末間通信のための電力を決定し、
前記決定された送信電力でデータ信号を送信する、
通信方法。
【請求項１１】
前記端末間送信モード１は、基地局のスケジューリングのもとで端末間通信がネットワークカバレッジ内で行われる送信モードであり、前記端末間送信モード２は、通信装置自身のスケジューリングのもとで端末間通信がネットワークカバレッジ内外で行われる別の送信モードである、
請求項１０に記載の通信方法。
【請求項１２】
前記端末間送信モード１はRRC_CONNECTED端末のためのものであり、前記端末間送信モード２は少なくともRRC_IDLE端末のためのものである、
請求項１０または１１に記載の通信方法。
【請求項１３】
前記第１のパラメータのセット及び前記第２のパラメータのセットは、無線リソース制御（ＲＲＣ）シグナリングによって、通信装置に提供される、
請求項１０から１２のいずれか一項に記載の通信方法。
【請求項１４】
前記第１のパラメータのセットは、前記端末間送信モード１のための第１のＰ０と第１のαとを含み、前記第２のパラメータのセットは、前記端末間送信モード２のための第２のＰ０と第２のαとを含み、前記第１のＰ０及び前記第２のＰ０は、送信電力に関するパラメータであり、前記第１のα及び前記第２のαは、パスロスに関する係数である、
請求項１０から１３のいずれか一項に記載の通信方法。
【請求項１５】
前記第１のパラメータのセットは、第１のグループの端末のために設定され、前記第２のパラメータのセットは、前記第１のグループの端末とは異なる第２のグループの端末のために設定されている、
請求項１０から１４のいずれか一項に記載の通信方法。
【請求項１６】
前記端末間通信のための送信電力は、サービングセルにおける下りリンクのパスロス推定値であるパスロス（ＰＬ）値をさらに用いることにより決定される、
請求項１０から１５のいずれか一項に記載の通信方法。
【請求項１７】
前記Ｄ２Ｄグラント中のＴＰＣコマンドは、過去に通知されたＴＰＣコマンドが累積された値とは異なる電力制御情報である、
請求項１０から１６のいずれか一項に記載の通信方法。
【請求項１８】
前記第１のパラメータのセットは、前記第２のパラメータのセットとは異なる、
請求項１０から１７のいずれか一項に記載の通信方法。
【請求項１９】
端末間（Ｄ２Ｄ）送信モード１のための第１のパラメータのセットと端末間送信モード２のための第２のパラメータのセットのいずれかを用いて、端末間通信のための送信電力を決定し、前記第１のパラメータのセットと前記第２のパラメータのセットとは、基地局によって別々に設定されている、処理を制御する制御回路と、
前記決定された送信電力でデータ信号を送信する処理を制御する送信回路と、
を具備し、
前記制御回路は、
前記基地局から受信した端末−基地局間通信のグラントに含まれるＴＰＣ（Transmit Power Control）コマンドを累積した調整状態を用いて前記端末−基地局間通信のための送信電力を決定し、
前記端末−基地局間通信のための前記調整状態と、前記基地局から受信したＤ２Ｄグラントに含まれる、累積することなく用いられるＴＰＣコマンドと、を用いて、前記端末間通信のための送信電力を決定する、
集積回路。
【請求項２０】
前記Ｄ２Ｄグラント中のＴＰＣコマンドは、過去に通知されたＴＰＣコマンドが累積された値とは異なる制御情報である、
請求項１９に記載の集積回路。
【発明の詳細な説明】
【技術分野】
【０００１】
本開示は、通信装置、通信方法及び集積回路に関する。
【背景技術】
【０００２】
Ｄ２Ｄは、端末間の直接通信であり、このような通信は、ネットワークカバレッジ内およびネットワークカバレッジ外で起こりうる。
【０００３】
図１は、ネットワークカバレッジ内でのＤ２Ｄ直接通信、および、ネットワークカバレッジ外でのＤ２Ｄ直接通信の状況を示している。
【０００４】
図１に示すように、ユーザ装置１０１および１０２は、ｅＮＢ（ｅＮｏｄｅＢ）  １００のネットワークカバレッジ内で直接通信し、ユーザ装置１０３および１０４は、ｅＮＢ  １００のネットワークカバレッジ外で直接通信する。
【０００５】
Ｄ２Ｄユーザ装置がＬＴＥの広域ネットワーク（ＷＡＮ：wide area network）内に存在するとき、これらの装置は、ＬＴＥ  ＷＡＮとＤ２Ｄで同時に動作されうる。つまり、一部の無線リソース／サブフレームにおいて、Ｄ２Ｄユーザ装置は、ＬＴＥ  ＷＡＮ信号を送受信するが、他の無線リソース／サブフレームにおいて、Ｄ２Ｄユーザ装置は、Ｄ２Ｄ信号を送受信する。これは、Ｄ２Ｄユーザ装置が、どのモードにおいて動作しているかによっても決まる。現在、ユーザ装置を動作されうる、次の２つのモードがある。モード１において、ｅＮＢ（基地局等）またはリリース１０の中継ノードは、ユーザ装置によって直接的なデータと直接的な制御情報を送信するために使用される正確なリソースをスケジューリングする。モード２においては、ユーザ装置は、直接的なデータと直接的な制御情報を送信するためのリソースをユーザ装置自身でリソースプールから選択する。
【０００６】
モード１において、Ｄ２Ｄのリソースは、ｅＮＢによって割り当てられる、または、完全に制御されるが、モード２においては、ユーザ装置は、自身でＤ２Ｄ送信のためのリソースを選択する。一般に、モード１において、Ｄ２Ｄユーザ装置は、（例えば、RRC_CONNECTEDにおいて）専用ＲＲＣシグナリングをｅＮＢから受信可能だが、モード２においては、Ｄ２Ｄユーザ装置は、（例えば、RRC_IDLEにおいて）共通のＲＲＣシグナリングのみ、例えば、ＳＩＢ（system information block）を受信可能である。本明細書において、主にモード１におけるユーザ装置に着目する。
【０００７】
Ｄ２ＤリソースとＬＴＥ  ＷＡＮリソースが同一サブフレーム内で多重化されるとき、帯域内放射（in-band emission）およびキャリア間干渉の問題が存在する。第１の問題は、同一サブフレーム内の周波数領域において、Ｄ２Ｄ信号が隣接ＬＴＥ  ＷＡＮ信号に対して電力漏洩を引き起こしうることを意味する。第２の問題は、第１の問題と少し同様の意味を持つが、他の理由によって引き起こされ得るものであり、例えば、信号のタイミングが並ぶかどうかである。Ｄ２Ｄ信号が拡張ＣＰ（cyclic prefix）を使用するが、ＬＴＥ  ＷＡＮ信号が通常のＣＰ（NCP：normal CP）を使用する場合、つまり、２種類の信号のタイミングが並ばない場合、キャリア間干渉の原因となりうる。
【発明の概要】
【発明が解決しようとする課題】
【０００８】
本開示は、上記の状況を考慮してなされたものである。
【課題を解決するための手段】
【０００９】
本開示の第１の態様の通信装置は、端末間（Ｄ２Ｄ）送信モード１のための第１のパラメータのセットと端末間送信モード２のための第２のパラメータのセットのいずれかを用いて、端末間通信のための送信電力を決定し、前記第１のパラメータのセットと前記第２のパラメータのセットとは、基地局によって別々に設定されている、制御回路と、前記決定された送信電力でデータ信号を送信する送信部と、を具備し、前記制御回路は、前記基地局から受信した端末−基地局間通信のグラントに含まれるＴＰＣ（Transmit Power Control）コマンドを累積した調整状態を用いて前記端末−基地局間通信のための送信電力を決定し、前記端末−基地局間通信のための前記調整状態と、前記基地局から受信したＤ２Ｄグラントに含まれる、累積することなく用いられるＴＰＣコマンドと、を用いて、前記端末間通信のための送信電力を決定する。
【００１０】
本開示の第２の態様の通信方法は、通信装置が、端末間（Ｄ２Ｄ）送信モード１のための第１のパラメータのセットと端末間送信モード２のための第２のパラメータのセットのいずれかを用いて、端末間通信のための送信電力を決定し、前記第１のパラメータのセットと前記第２のパラメータのセットとは、基地局によって別々に設定されており、前記基地局から受信した端末−基地局間通信のグラントに含まれるＴＰＣ（Transmit Power Control）コマンドを累積した調整状態を用いて前記端末−基地局間通信のための送信電力を決定し、前記端末−基地局間通信のための前記調整状態と、前記基地局から受信したＤ２Ｄグラントに含まれる、累積することなく用いられるＴＰＣコマンドと、用いて、前記端末間通信のための電力を決定し、前記決定された送信電力でデータ信号を送信する。
【００１１】
本開示の第３の態様の集積回路は、端末間（Ｄ２Ｄ）送信モード１のための第１のパラメータのセットと端末間送信モード２のための第２のパラメータのセットのいずれかを用いて、端末間通信のための送信電力を決定し、前記第１のパラメータのセットと前記第２のパラメータのセットとは、基地局によって別々に設定されている、処理を制御する制御回路と、前記決定された送信電力でデータ信号を送信する処理を制御する送信回路と、を具備し、前記制御回路は、前記基地局から受信した端末−基地局間通信のグラントに含まれるＴＰＣ（Transmit Power Control）コマンドを累積した調整状態を用いて前記端末−基地局間通信のための送信電力を決定し、前記端末−基地局間通信のための前記調整状態と、前記基地局から受信したＤ２Ｄグラントに含まれる、累積することなく用いられるＴＰＣコマンドと、を用いて、前記端末間通信のための送信電力を決定する。
【００１２】
上記は概要であり、したがって、当然、単純化、一般化、および詳細の省略を含む。本明細書に記載の装置および／またはプロセスおよび／または他の主題の、他の態様、特徴、および利点は、本明細書に記載の教示において明らかとされよう。概要は、簡略化された形態で概念の選択を紹介するために提供されており、以下の発明を実施するための形態でさらに説明される。この概要は、特許請求される主題の主要な特徴または本質的な特徴を特定することを意図するものではなく、特許請求される主題の範囲を決定する補助として使用されることを意図するものでもない。
【００１３】
本開示の上記および他の特徴は、添付の図面と併せて以下の説明および添付の特許請求の範囲からより完全に明らかとされる。これらの図面は、本開示によるいくつかの実施形態のみを示し、したがってその範囲が限定されるものと解釈されるべきではないことを理解して、本開示は、添付の図面の使用によりさらに具体的かつ詳細に説明する。
【図面の簡単な説明】
【００１４】
【図１】ネットワークカバレッジ内でのＤ２Ｄ直接通信、および、ネットワークカバレッジ外でのＤ２Ｄ直接通信の状況を示す図である。
【図２】本開示の実施形態による、電力制御方法の流れ図である。
【図３】本開示の実施形態による、ユーザ装置のサブフレームの例を示す図である。
【図４】本開示の実施形態による、同一サービングセル内の複数のＤ２Ｄグループの例を示す図である。
【図５】本開示の実施形態による、ユーザ装置のブロック図を示す図である。
【発明を実施するための形態】
【００１５】
以下の詳細な説明においては、添付の図面を参照し、これらの図面は説明の一部を形成している。図面においては、特に明記しない限り、一般には類似する記号は類似する要素を表している。なお、本開示の態様は、さまざまな異なる構造・構成に配置する、置き換える、組み合わせる、設計することができ、そのような態様すべては明示的に意図されたものであり本開示の一部を形成することが、容易に理解されるであろう。
【００１６】
電力制御は、上記２つの問題を解決するために、他の解決策と比較して、良好・有効な解決策として、３ＧＰＰにおける多くの企業によって既に承認されている。例えば、次の解決策が他の解決策となりうる。保護周波数帯（guard band）は、帯域内放射問題を解決するために使用されるが、リソースが浪費される。また、Ｄ２ＤとＬＴＥ  ＷＡＮとの間のタインミング合わせ（同一ＣＰまたはタイミングアドバンス(timing advance)）が使用されるが、帯域内放射の問題を解決しえないことが問題である。または、上記の問題を回避するために、Ｄ２Ｄサブフレーム内に、ＬＴＥ  ＷＡＮリソースを割り当てない場合は、ＷＡＮ  ＰＵＣＣＨタイミング仕様またはＬＴＥ  ＷＡＮのリソース利用に大きな影響を与えうる。このような点から、電力制御は、Ｄ２Ｄ送信において、非常に有望・必要な解決策である。言うまでもなく、電力制御は、上述の３つの解決策の何れかを組み合わせることも可能である。
【００１７】
しかしながら、他方で、Ｄ２Ｄ電力制御に関する問題は、多くの詳細がまだ決定されていないことであり、例えば、次の問題がある。ＬＴＥ  ＷＡＮリソースへの干渉を削減するためにＤ２Ｄ電力をどのように制御するか、Ｄ２ＤおよびＬＴＥ  ＷＡＮ信号・サブフレームのための電力をどのように累積するか、異なるＤ２Ｄユーザ装置のための電力制御パラメータをどのように設定するか、ＴＰＣコマンドの範囲は何であるか、である。
【００１８】
１つの直接的な解決方法は、Ｄ２ＤとＬＴＥ  ＷＡＮが完全に独立した電力制御メカニズム（（Ｐ０およびalpha（α））のようなオープンループコンポーネントおよび（fc（））のようなクローズドループコンポーネントを含む）を採用することである。かかる解決策のメリットは、ｅＮＢがＬＴＥ  ＷＡＮの干渉を気にすることなく、Ｄ２Ｄ電力の適応性を調整可能なことであり、Ｄ２Ｄカバレッジに使いやすい。しかしながら、この解決策には、次の問題がある。（１）ｅＮＢが、ＬＴＥ  ＷＡＮ（ｅＮＢは、fc（）を知らない）およびＤ２Ｄ（現在まで、Ｄ２Ｄ  ＰＨＲおよびＲＳＲＰが無い）の送信電力の不正確な知識により、ＬＴＥ  ＷＡＮへの干渉を削減するためのＤ２Ｄ電力を正確に制御することができない。（２）２つの独立した電力累積機能による、ユーザ装置の複雑性が増加する。
【００１９】
他の直接的な解決策は、Ｄ２ＤのＰ０およびαのようなオープンループパラメータがＤ２ＤとＬＴＥ  ＷＡＮの間で独立して設定されることであるが、累積機能は、Ｄ２ＤとＬＴＥ  ＷＡＮとの間で共有される。つまり、同一ユーザ装置のために、サブフレームiの電力（ＬＴＥ  ＷＡＮサブフレーム）は、サブフレームi＋１の電力（Ｄ２Ｄサブフレーム）に累積され、逆の場合も同じとなる。かかる解決策のメリットは、考慮する累積機能が１つだけになることである。ただし、この解決策は、次の問題がある。（１）ＬＴＥ  ＬＡＮの電力・性能は、Ｄ２Ｄ電力の影響を受ける（相互に与える影響）。（２）ｅＮＢの受信において、非常にダイナミックなＷＡＮ信号の電力変化につながる可能性があり、不安定な受信性能が無線周波数（ＲＦ）部分における、自動利得制御（ＡＧＣ：automatic gain control）が上手く動作できなくなる結果につながる可能性もある。
【００２０】
図２は、本開示の実施形態による、電力制御方法の流れ図である。
【００２１】
図２に示すように、本実施形態による電力制御方法は、ステップＳ２０１を備える。ステップＳ２０１において、ユーザ装置のＬＴＥ  ＷＡＮ（wide area network）の上りチャネルの電力調整状態、および、Ｄ２Ｄ  ｇｒａｎｔまたはＤＣＩ  ｆｏｒｍａｔ  ３／３Ａにおいて通知されるＴＰＣコマンドによって示されるオフセットまたは比率（ratio）に基づいて、サービングセル内のサブフレームにおいてＤ２Ｄ通信を行っているユーザ装置のＤ２Ｄ（device to device）送信の電力値が算出される。
【００２２】
本開示の実施形態によれば、上記の電力制御方法において、上りチャネルは、ＰＵＳＣＨ、ＳＲＳ、ＰＵＣＣＨ、または、これらの組み合わせの何れかである。
【００２３】
本開示の実施形態によれば、上記の電力制御方法において、電力値は、ＭＡＣレイヤシグナリングまたはＲＲＣシグナリングによって設定される、Ｄ２ＤのＰ０およびαを含むオープンループパラメータによって、さらに、決定される。
【００２４】
具体的には、上りチャネルがＰＵＳＣＨの場合、電力値は、次の式（１）によって算出されうる。
【数１】
0006554656.tif 000002
ここで、パラメータＭＤ２Ｄ，Ｃ（i）は、サブフレームiおよびサービングセル"ｃ"に対して有効なリソースブロックの数で表されるＤ２Ｄリソース割り当ての帯域幅である。パラメータＰＤ２Ｄ，Ｃ（j）は、サービングセル"ｃ"のｅＮＢの目標とされた受信電力を意味するパラメータである。"j"は、異なるｇｒａｎｔの種類（grant type）を意味しており、例えば、ＰＵＳＣＨ送信において、セミパーシステントグラント（semi-persistent grant）の場合、j=０であり、ダイナミックにスケジューリングされたｇｒａｎｔ（dynamic scheduled grant）の場合、j=１であり、ランダムアクセス応答グラント（random access response grant）の場合、j=２である。他の実施形態によれば、ＰＤ２Ｄ，Ｃ（）は、複数の値に代えて、仕様において固定されてもよい。
【００２５】
パラメータＰＬｃは、ｄＢで示され、サービングセル"c"に対するユーザ装置において算出された、（ｅＮＢとＤ２Ｄユーザ装置との間の）下りリンクのパスロス推定値であり、PLc＝ referenceSignalPower - 上位レイヤにフィルターされたＲＳＲＰ（higher layer filtered RSRP）である。ここで、"referenceSignalPower"は、上位レイヤシグナリングによって提供されうる。パラメータαD2D,C(j)は、下りリンクのパスロスＰＬｃの補正係数である。本開示の他の実施例によれば、上述の電力制御方法において、ｊ＝０または１に対して、αC(j)∈{0, 0.4, 0.5, 0.6, 0.7, 0.8, 0.9, 1}は、サービングセル"c"に対して、上位レイヤシグナリングによって提供される、３ビットのパラメータであり、ｊ＝２に対しては、α(j)＝１である。
【００２６】
パラメータΔTF,C（i）は、現在のＰＵＳＣＨ電力制御式のものと同様のマイナーオフセット（minor offset）である。
【００２７】
最新のＬＴＥ  ＷＡＮサブフレームにおけるユーザ装置のＬＴＥ  ＷＡＮの上りチャネルの電力制御調整状態は、fc（i−1）である。これは、ＬＴＥ  ＷＡＮにおける、同一ユーザ装置のサブフレームiの直前の上りリンクのサブフレームの累積された・絶対的な電力値となりえる。かかる値は、ＬＴＥ  ＷＡＮサブフレームグラント（grant）、例えば、ＤＣＩ  ｆｏｒｍａｔ  ０／４またはＤＣＩ  ｆｏｒｍａｔ  ３／３Ａによって通知される、ＴＰＣコマンドによって調整され、ＰＵＳＣＨ電力調整のために使用される。
【００２８】
本実施形態において、ＴＰＣコマンドによって示されるオフセットまたは比率は、パラメータ、δD2D,c（i−KD2D）であり、これは、Ｄ２Ｄ通信のために使用される補正値であり、Ｄ２Ｄ  ｇｒａｎｔに含まれてもよく、または、ＤＣＩ  ｆｏｒｍａｔ  ３／３Ａにおいて通知されてもよく、次の２つのオプションがある。オプション（１）は、Ｄ２Ｄ  ＴＰＣコマンドおよびＬＴＥ  ＷＡＮ  ＴＰＣコマンドは、同一ＤＣＩ  ｆｏｒｍａｔ  ３／３Ａ内に配置される。オプション（２）は、Ｄ２Ｄ  ＴＰＣコマンドのみ、ＤＣＩ  ｆｏｒｍａｔ  ３／３Ａ内に配置される。
【００２９】
本実施形態において、オフセットおよび／または比率は、ゼロまたは負の値だけを示す。例えば、δD2D,c（i−KD2D）がオフセットを示すとき、δD2D,c（i−KD2D）の値の範囲は、{0, −10}ｄＢであり、δD2D,c（i−KD2D）が比率を示すとき、δD2D（i−KD2D）の値の範囲は、{0, −0.1}である。この場合、かかるフィールドの長さは、１ビットである。かかるフィールドの長さが２ビットの場合、範囲は、さらに、例えば、{0, −5, −10, −15}dBまで拡張可能である。
【００３０】
また、δD2D,c（i−KD2D）が比率を示すとき、式（２）は、Ｄ２Ｄ通信におけるユーザ装置の電力制御値を算出するために使用される。
【数２】
0006554656.tif 000003
【００３１】
上述の実施形態の式（１）と比較すると、式（２）の唯一の違いは、ＰＵＳＣＨ累積／絶対電力"fc（i−1）"に対する比率が使用されることである。かかる比率は、Ｄ２Ｄ  ｇｒａｎｔまたはＤＣＩ  ｆｏｒｍａｔ  ３／３Ａにおいても通知される。ここで、かかる比率のためのＴＰＣコマンドの範囲は、例えば、{0, −0.1}となりえるので、ＰＵＳＣＨ電力に対する減少のみ、ここでは、Ｄ２Ｄ電力のために考慮される。
【００３２】
図３は、本開示の実施形態による、Ｄ２ＤおよびＬＴＥ  ＷＡＮに対して使用される同一ユーザ装置のサブフレームの例を示している。
【００３３】
図３に示すように、同一ユーザ装置のために使用される、時間軸方向における５つのサブフレーム、すなわち、サブフレーム１、サブフレーム２、サブフレーム３、サブフレーム４およびサブフレーム５が図示される。サブフレーム２および５は、ユーザ装置のＤ２Ｄ通信のために使用され、サブフレーム１、３および４は、同一ユーザ装置のＬＴＥ  ＷＡＮ通信のために使用されると仮定する。例えば、ここでは、"i"=5と仮定され、つまり、ユーザ装置は、サブフレーム５に対する、Ｄ２Ｄ電力制御を算出する必要があり、ユーザ装置は、Ｄ２Ｄサブフレーム５のためにＷＡＮサブフレーム４におけるＰＵＳＣＨチャネルの調整状態"fc（i−1）"をコピーし、式（１）に基づいて、Ｄ２Ｄの最終調整状態に対して、ｅＮＢによってサブフレーム１において通知されたδD2D,c（i−KD2D）を追加する。ここで、ＫＤ２Ｄは、４である。ＰＤ２Ｄ, Ｃ（ｊ）およびαＤ２Ｄ，Ｃ（ｊ）などのようなオープンループパラメータは、ＳＩＢを介して通知される。
【００３４】
この例から、Ｄ２Ｄユーザ装置は、Ｄ２Ｄサブフレームのために特別に累積電力を必要としないことがわかる。代わりに、ＰＵＳＣＨのfc（i−１）をコピーし、Ｄ２Ｄ  ｇｒａｎｔまたはＤＣＩ  ｆｏｒｍａｔ  ３／３Ａにおいて通知されるＴＰＣコマンドにおいて示されるダイナミック調整値（δD2D,c（i−KD2D））を追加するだけである。Ｄ２Ｄ  ｇｒａｎｔまたはＤＣＩ  ｆｏｒｍａｔ  ３／３Ａにおいて通知されるＴＰＣコマンドの範囲について、ゼロ・負の数のみ、例えば、{0, −10dB}が可能である。
【００３５】
上記の実施形態の効果は、次の通りである。ｅＮＢは、Ｄ２Ｄ通信に対してＰＵＳＣＨの電力を模倣するようにして、比較的正確に、ＬＴＥ  ＷＡＮの干渉に対してＤ２Ｄ電力を制御可能となる。Ｄ２Ｄのために、特別に、独立した電力累積は必要ない。ＬＴＥ  ＷＡＮの電力累積は、Ｄ２Ｄ通信の影響を受けない。ｅＮＢ側における、受信電力は、比較的安定している（ＡＧＣに利用しやすい）。
【００３６】
他の実施形態によれば、上りチャネルが、ＰＵＣＣＨまたはＳＲＳのとき、そのＰＵＣＣＨまたはＳＲＳの電力値は、Ｄ２Ｄ電力制御に対する基準として考えられる。この場合、例えば、Ｄ２Ｄユーザ装置の電力値を算出するために、式（３）が使用される。
【数３】
0006554656.tif 000004
この式において、パラメータg（i−1）は、最新のＰＵＣＣＨ電力制御調整状態である。
【００３７】
本開示の他の実施形態によれば、上述の電力制御方法において、ＤＣＩ  ｆｏｒｍａｔ  ３／３Ａは、ＬＴＥ  ＷＡＮのＴＰＣコマンドとＤ２ＤのＴＰＣコマンドとを組み合わせ可能であり、または、Ｄ２ＤのＴＰＣコマンドのみによって構成可能である。
【００３８】
図４は、本開示の実施形態による、同一サービングセル内の複数のＤ２Ｄグループの例を示す。
【００３９】
図４に示すように、例えば、同一セル内に複数のＤ２Ｄグループ（ここでは、２つのＤ２Ｄグループのみが図示されているが、２つのグループには限定されない）が存在する。ｅＮＢは、ＳＩＢを介して、いくつかの電力制御パラメータの組を通知する。例えば、Ｄ２Ｄグループ１に対して第１の組{P0、α}が通知され、Ｄ２Ｄグループ２に対して第２の組{P0、α}が通知される。つまり、本開示の実施形態によれば、上述の電力制御方法において、同一セル内のＤ２Ｄユーザ装置グループ間で異なるＰ０およびαがＳＩＢを介して設定される。
【００４０】
本開示の他の実施形態によれば、Ｄ２ＤのＰ０およびαなどの異なる電力制御パラメータは、Ｄ２Ｄのリソース割り当てモードまたはＲＲＣステータスに基づいて、異ならせている。例えば、Ｄ２ＤのＰ０およびαは、モード１とモード２とに対して、Ｄ２Ｄリソース割り当てポイントの観点から別々に設定される。または、例えば、Ｄ２ＤのＰ０およびαは、ＲＲＣ＿ＣＯＮＮＥＣＴＥＤのユーザ装置とＲＲＣ＿ＩＤＬＥのユーザ装置とに対して、別々に設定される。さらに、ＲＲＣ＿ＣＯＮＮＥＣＴＥＤステータスのユーザ装置に対して、Ｄ２ＤのＰ０およびαは、専用のＲＲＣシグナリングによって設定される。
【００４１】
本開示の実施形態によれば、上述の電力制御方法において、上りチャネルがＰＵＳＣＨのとき、ＬＴＥ  ＷＡＮにおける、同一ユーザ装置の上りチャネルの電力制御において、ＰＤ２Ｄ，Ｃ（ｊ）は、ＰＯ＿ＰＵＳＣＨ，Ｃ（ｊ）と異なるように設定されてよく、αＤ２Ｄ，ｃ（ｊ）は、αｃ（ｊ）と異なるように設定されてよく、これらは、ＲＲＣまたはＭＡＣシグナリングによって通知される。
【００４２】
図５は、本開示の実施形態による、ユーザ装置のブロック図を示している。
【００４３】
図５に示すように、本開示の実施形態による、Ｄ２Ｄ（device to device）通信において使用されるユーザ装置５００は、計算ユニット５０１を備える。計算ユニット５０１は、ユーザ装置のＬＴＥ  ＷＡＮ（wide area network）の上りチャネルの電力制御調整状態、および、Ｄ２Ｄ  ｇｒａｎｔまたはＤＣＩ  ｆｏｒｍａｔ  ３／３Ａにおいて通知されるＴＰＣコマンドによって示されるオフセットまたは比率に基づいて、サービングセル内のサブフレームにおいてＤ２Ｄ通信を行うユーザ装置のＤ２Ｄ（device to device）送信の電力値を算出するように構成されている。
【００４４】
本開示の他の実施形態によれば、ユーザ装置５００において、上りチャネルは、ＰＵＳＣＨ、ＳＲＳ、ＰＵＣＣＨ、または、これらの組み合わせの何れかである。
【００４５】
本開示の他の実施形態によれば、ユーザ装置５００において、電力値は、ＭＡＣレイヤシグナリングまたはＲＲＣシグナリングによって設定される、Ｄ２ＤのＰ０およびαを含むオープンループパラメータによって、さらに、決定される。
【００４６】
本開示の他の実施形態によれば、ユーザ装置５００において、オフセットまたは比率は、ゼロまたは負の数だけを示す。
【００４７】
本開示の他の実施形態によれば、ユーザ装置５００において、ＤＣＩ  ｆｏｒｍａｔ  ３／３Ａは、ＬＴＥ  ＷＡＮのＴＰＣコマンドとＤ２ＤのＴＰＣコマンドとを組み合わせ可能であり、または、Ｄ２ＤのＴＰＣコマンドのみによって構成可能である。
【００４８】
本開示の他の実施形態によれば、ユーザ装置５００において、Ｄ２ＤのＰ０およびαは、ＲＲＣ＿ＣＯＮＮＥＣＴＥＤステータスのユーザ装置とＲＲＣ＿ＩＤＬＥステータスのユーザ装置とに対して、別々に設定される。
【００４９】
本開示の他の実施形態によれば、ユーザ装置５００において、Ｄ２ＤのＰ０およびαは、リソース割り当てモードに基づいて別々に設定される。このリソース割り当てモードは、ｅＮＢまたはリリース１０の中継ノードが、ユーザ装置によって使用される正確なリソースをスケジューリングするモード１、または、ユーザ装置が自身でリソースをリソースプールから選択するモード２でありうる。
【００５０】
本開示の他の実施形態によれば、ユーザ装置５００において、ＲＲＣ＿ＣＯＮＮＥＣＴＥＤステータスのユーザ装置に対して、Ｄ２ＤのＰ０およびαは、専用のＲＲＣシグナリングによって設定される。
【００５１】
本開示の他の実施形態によれば、ユーザ装置５００において、Ｐ０およびαは、同一セル内のＤ２Ｄユーザ装置グループ間で異なるように、ＳＩＢを介して設定される。
【００５２】
本開示の他の実施形態によれば、ユーザ装置５００は、さらに、ユーザ装置５００内で、さまざまなデータを処理し、それぞれの手段（ユニット）の動作を制御するための関連するプログラムを実行するＣＰＵ（中央処理装置）５０２と、ＣＰＵによってさまざまなプロセスおよび制御を実行するために必要なさまざまなプログラムを格納するＲＯＭ（読み出し専用メモリ）５０３と、ＣＰＵによるプロセスおよび制御の手順において一時的に作成される中間データを格納するＲＡＭ（ランダムアクセスメモリ）５０４と、外部装置と接続し、外部装置と本発明の実施形態によるユーザ装置５００との間で、さまざまなデータを送信するための入出力（Ｉ／Ｏ）手段５０５と、キーボード、マウス、タッチパッド、および、ユーザと相互に作用しうるさまざまな装置により実現される他の手段を備えるユーザインターフェース（Ｉ／Ｆ）手段５０６と、を備えてもよい。これらの装置または手段は、本発明の様々な対応する機能を実現するためのさまざまな制御および関連した動作を実行するために、バスを介して、ユーザ装置５００において、計算ユニット５０１等と接続されてもよい。
【００５３】
本発明の実施形態によれば、計算ユニット５０１の機能は、プログラムをＲＯＭ５０３に格納し、そのプログラムをＣＰＵ５０２において実行することによって実現されてもよい。本発明の実施形態によれば、ユーザ装置５００における、それぞれの装置（ユニット）は、１つのユニットに組み合わせることによって実現されてもよい。これらの特定的な実装は、本発明の範囲を制限するものではない。
【００５４】
上記の説明に基づいて、本開示は、ＬＴＥ  ＷＡＮの干渉を制御可能とするために、例えば、ＰＵＳＣＨ調整状態（例えば、fc()）がＤ２Ｄ累積電力に対する基準として使用されるなど、同一ユーザ装置のＬＴＥ  ＷＡＮの電力をＤ２Ｄ送信に対して模倣することを提案する。この場合、Ｄ２Ｄサブフレーム内において、Ｄ２Ｄユーザ装置に対して特別に累積を実施する必要はない。Ｄ２ＤのαおよびＰ０などのようなオープンループパラメータは、ＬＴＥ  ＷＡＮ内のものと同一に設定可能である。Ｄ２Ｄ  ｇｒａｎｔまたはＤＣＩ  ｆｏｒｍａｔ  ３／３ＡにおいてＴＰＣコマンドにおいて示される、ＰＵＳＣＨ調整状態（例えば、fc()）に対するオフセットまたは比率は、さらに、ＬＴＥ  ＷＡＮ干渉に対して、Ｄ２Ｄ電力を調整するために使用される。異なる解決策において、同一ユーザ装置の他のＬＴＥ  ＷＡＮチャネルの電力またはこれらの組み合わせは、Ｄ２Ｄ電力に対して参照可能である。これらの提案において、Ｄ２ＤのＰ０およびαなどのようなオープンループパラメータは、モード１とモード２との間で、または、ＲＲＣ＿ＩＤＬＥステータスとＲＲＣ＿ＣＯＮＮＥＣＴＥＤステータスとの間で、異なるように設定可能である。Ｄ２Ｄによって使用される、Ｐ０およびαなどのようなオープンループパラメータは、専用ＲＲＣパラメータによって通知可能である。また、ＳＩＢは、同一セルにおいて、Ｄ２Ｄの複数のグループをサポートするために、いくつかの組のオープンループパラメータを、例えば、Ｄ２Ｄグループ１に対して使用される、第１の組の{Ｐ０、α}、および、Ｄ２Ｄグループ２に対して使用される、第２のセットの{Ｐ０、α}を、通知可能である。
【００５５】
本発明は、ソフトウェア、ハードウェア、または、ハードウェアとの連携においてソフトウェアで実現可能である。上記の各実施の形態の説明に用いた各機能ブロックは、集積回路であるＬＳＩとして実現される。これらは個別にチップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。しかしながら、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。さらに、各機能ブロックの演算は、ＤＳＰやＣＰＵなどを含む、演算手段を用いて実行可能であり、各機能の処理ステップは、実行されるプログラムとして記録媒体に記録されてもよい。さらに、ＬＳＩの代わりとなる、集積回路を実現するための技術が、半導体技術または他の派生技術の進歩に従って出現するとき、機能ブロックは、このような技術を使用して統合されてもよいことは明らかである。
【００５６】
なお、本発明は、本発明の趣旨および範囲から逸脱することなく、明細書に提示された説明および既知の技術に基づいて当業者によって多様に変更されるかまたは修正されることを意図し、このような変更および適用は、保護される特許請求の範囲内に入る。さらに、本発明の趣旨を逸脱しない範囲で、上述した実施形態の構成要素を任意に組み合わせることができる。
【図１】
0006554656.tif 000005
【図２】
0006554656.tif 000006
【図３】
0006554656.tif 000007
【図４】
0006554656.tif 000008
【図５】
0006554656.tif 000009